(57)【特許請求の範囲】
【請求項１】
パイルを備えたカーペット層と、このカーペット層を支持する裏打ち層とを備えたフロアマットであり、フロアマットの周縁部におけるパイルの根元が、テーピング加工又はオーバーロック加工によって、裏打ち層の方向に固定されていることで、フロアマット周縁側へパイルが倒れ、倒れたパイルによってテーピング加工又はオーバーロック加工されたフロアマット周縁部が覆い隠されていることを特徴とする、フロアマット。
【請求項２】
パイルを構成する繊維として、異型断面繊維を含んでいることを特徴とする、請求項１記載のフロアマット。
【発明の詳細な説明】
【技術分野】
【０００１】
自動車用、住居用、或いはオフィス用に使用できるフロアマットに関する。特に、自動車用に好適に使用できるフロアマットに関する。
【背景技術】
【０００２】
従来から、自動車室内のフロアが、靴等に付着した土や泥によって汚れないように、フロアマットを敷いている。
【０００３】
このような自動車用のフロアマットとして、パイルを備えたカーペット層と、このカーペット層を支持する裏打ち層とを備えたものは、意匠性に優れ、高級感があるため、好適に使用されている。このようなフロアマットにおいては、フロアマットを構成するカーペット周縁部のパイルが脱落するのを防止するために、また高級感を醸し出すために、フロアマットの周縁部にオーバーロック加工及び／又はテーピング加工（縁処理加工）を施したものが一般的である。実際に、本願出願人もオーバーロック加工とテーピング加工の両方を施したフロアマットを提案している（特許文献１、図２参照）。
【０００４】
しかしながら、このような縁処理加工１、２を施したフロアマットＭはフロアマットＭ単独では意匠性に優れ、高級感のあるものであったが、自動車のフロア上に敷いた際に、フロアマットＭの縁処理加工１、２を施した周縁部Ｅが目だってしまい、車室内との一体感を損なう場合があった。特に、高級感のあるフロアマット程、フロアマットＭを構成するカーペットのパイルＰの毛足長さが長くなるが、フロアマットＭの周縁Ｅａから広い幅で縁処理加工１、２を行わなければ、このようなパイルＰの脱落を防止することができないため、高級感を高めるために毛足の長いパイルＰからなるカーペットを使用しているにもかかわらず、前記問題が顕著になる、という矛盾した状況が生じていた。
【０００５】
他方、本願出願人はカーペット層と裏打ち層とを有し、縁処理加工を行なっておらず、フロアマットの周縁部がカーペット層のパイルによって被覆されたフロアマットを提案した（特許文献２、特許文献３、順に図３、図４参照）。これらのフロアマットＭは、基本的に、仮押し付け工程、裁断工程、本押し付け工程により製造することができる。しかしながら、フロアマットＭを構成するカーペットには必ず目方向があるため、本押し付け工程の圧力によって、パイルＰは順目方向へは倒れやすいものの、逆目方向へは倒れにくいため、フロアマットＭの周縁部ＥにおけるパイルＰによる被覆状態が不均一となりやすく、意匠性が悪くなりやすい傾向があった。
【０００６】
【特許文献１】実公平４−５４０２４号公報（実用新案登録請求の範囲など）
【特許文献２】特開平１１−２６８５６９号公報（請求項３、請求項４など）
【特許文献３】特開２０００−９３２８５号公報（請求項３、段落番号００４４など）
【発明の開示】
【発明が解決しようとする課題】
【０００７】
パイルが脱落せず、使用時における周囲の環境と調和し、高級感を醸し出すことができるなど、意匠性に優れるフロアマットを提供することを目的とする。
【課題を解決するための手段】
【０００８】
本発明の請求項１にかかる発明は、「パイルを備えたカーペット層と、このカーペット層を支持する裏打ち層とを備えたフロアマットであり、フロアマットの周縁部におけるパイルの根元が、テーピング加工又はオーバーロック加工によって、裏打ち層の方向に固定されていることで、フロアマット周縁側へパイルが倒れ、倒れたパイルによってテーピング加工又はオーバーロック加工されたフロアマット周縁部が覆い隠されていることを特徴とする、フロアマット。」である。このように、フロアマット周縁部におけるパイルはその根元が、テーピング加工又はオーバーロック加工によって固定されているため、パイルが脱落せず、また、カーペットの目方向の影響を受けることなく、フロアマット周縁側へパイルが倒れ、倒れたパイルによってテーピング加工又はオーバーロック加工されたフロアマット周縁部が覆い隠されるため、テーピング加工又はオーバーロック加工されたフロアマット周縁部が目立たず、フロアマットを敷いた時に周囲の環境と調和し、高級感を醸し出すことができる、意匠性に優れるものである。
更に、このようにテーピング加工又はオーバーロック加工により固定しているため、フロアマットを裏打ち層側からみても、フロアマットの周縁が揃っているため、フロアマットの周囲環境と密着し、その性能を発揮しやすい。また、単に縫うだけで固定しており、熱がかからないため、カーペットを構成するパイルが潰れるなど、損傷していないため、意匠性に優れている。
【００１０】
本発明の請求項2にかかる発明は、「パイルを構成する繊維として、異型断面繊維を含んでいることを特徴とする、請求項１記載のフロアマット」である。このような異型断面繊維を含むパイルは嵩高感がでやすく、倒れやすいため、フロアマット周縁部を覆い隠しやすい。そのため、周囲の環境と調和し、高級感を醸し出すことができる、意匠性に優れるフロアマットである。
【発明の効果】
【００１１】
本発明のフロアマットは、パイルが脱落せず、使用時における周囲の環境と調和し、高級感を醸し出すことができる、意匠性に優れるものである。
【発明を実施するための最良の形態】
【００１２】
本発明のフロアマットについて、本発明のフロアマット周縁部における厚さ方向一部拡大断面図である図１をもとに説明する。なお、従来のフロアマットと同じ部材については同じ符号を付している。
【００１３】
図１に示すフロアマットＭは、パイルＰが一次基布Ｂに固定されたカーペット層Ｃ、カーペット層Ｃを支持する第１裏打ち層Ｋ１、第２裏打ち層Ｋ２とを備えており、前記カーペット層Ｃ、第１裏打ち層Ｋ１及び第２裏打ち層Ｋ２の周縁部Ｅを覆うように配置されたテープ１、及び前記テープ１を固定するとともに、フロアマットＭの周縁部ＥにおけるパイルＰｅの根元を第１裏打ち層Ｋ１及び第２裏打ち層Ｋ２方向へ固定する縫合糸１ａ、とから構成されている。このようなフロアマットＭにおいては、フロアマットＭの周縁部ＥにおけるパイルＰｅの根元が縫合糸１ａによって固定されているため、フロアマットＭの周縁部ＥにおけるパイルＰｅの脱落が生じない。また、フロアマットＭの周縁部ＥにおけるパイルＰｅの根元が、縫合糸１ａによって強制的に第１裏打ち層Ｋ１及び第２裏打ち層Ｋ２方向へ固定されているため、カーペットの目方向に関係なく、フロアマットＭの周縁Ｅａ側へ均一にパイルＰｅが倒れ、パイルＰｅによってフロアマットＭの周縁部Ｅが覆い隠されているため、フロアマットＭの周縁部Ｅが目立たず、フロアマットＭを敷いた時に周囲の環境と調和し、高級感を醸し出すことができる、意匠性に優れるものである。
【００１４】
本発明のフロアマットＭのカーペット層Ｃを構成するカーペットは、パイルＰを備えているものであれば良く、パイルＰは図１のように一次基布Ｂに固定されたものであっても、糸に固定されたものであっても良い。より具体的には、緞通、ウィルトンカーペット、アキスミンスターカーペット、ダブルフェースカーペット、フックドラグ、タフテッドカーペット、フロックカーペット、コードカーペット、ニットカーペットなどから構成することができる。
【００１５】
なお、パイルＰを構成する繊維として、異型断面繊維を含んでいると、パイルＰの嵩高感がでやすく、周縁部ＥにおけるパイルＰｅが倒れやすく、フロアマットＭの周縁部Ｅを覆い隠しやすいため好適である。なお、異型断面繊維とは、横断面形状が非円形の繊維をいい、例えば、楕円、長円、アルファベット状（例えば、Ｔ状、Ｙ状、Ｘ状）、多角形（例えば、三角形、四角形など）などを挙げることができる。また、樹脂の存在しない中空部分を有する円形断面繊維又は異型断面繊維も同様の効果を奏するため、好適である。このような異型断面繊維はその含有量が多ければ多い程、前記性能に優れているため、パイルＰ中、３０ｍａｓｓ％以上が異型断面繊維から構成されているのが好ましく、７０ｍａｓｓ％以上が異型断面繊維から構成されているのがより好ましく、１００ｍａｓｓ％が異型断面繊維から構成されているのが最も好ましい。
【００１６】
また、上述のような異型断面繊維を含むパイルＰ以外に、撚りが甘く（４０〜２００Ｔ／ｍ）開きやすいパイルＰ、目付の大きい（１０００ｇ／ｍ２以上）パイルＰ、比重の小さい０．９〜１．０ｇ／ｃｍ３）繊維（例えば、ポリプロピレン繊維）からなるパイルＰなどは、嵩高感がでやすく、パイルＰｅが倒れやすく、フロアマットＭの周縁部Ｅを覆い隠しやすいため、好適に使用できる。
【００１７】
なお、パイルＰの毛足長さＬは縫合糸１ａなどによる周縁部ＥにおけるパイルＰｅの固定箇所にもよるが、高級感があり、意匠性に優れるように、また、フロアマットＭの周縁部Ｅを覆い隠しやすいように、５ｍｍ以上であるのが好ましい。なお、パイルＰの毛足長さＬの上限は特に限定するものではないが、２０ｍｍ以下であるのが現実的である。この「パイルの毛足長さ」は、一次基布又は糸からのパイルの突出長さ（図１におけるＬ）をいう。
【００１８】
本発明のフロアマットＭは上述のようなカーペット層Ｃを支持する裏打ち層Ｋ１、Ｋ２を備えており、この裏打ち層Ｋ１、Ｋ２によって、耐久性、遮音性、吸音性、滑り防止性、遮水性、制振性等の少なくとも１つの機能がフロアマットＭに付与される。図１においては、第１裏打ち層Ｋ１、第２裏打ち層Ｋ２とを備えている。このように、裏打ち層は１層である必要はなく、２層以上備えていても良い。
【００１９】
この裏打ち層Ｋ１、Ｋ２を構成できる材料として、具体的に、（１）熱可塑性樹脂シート、（２）熱可塑性エラストマーシート、（３）熱硬化性樹脂シート、（４）天然又は合成ゴムシート、（５）分割繊維を水流などの流体流で分割して発生させた、繊維径が１０μｍ以下の極細繊維を含む極細不織布、（６）分割繊維の樹脂成分を抽出除去して発生させた、繊維径が１０μｍ以下の極細繊維を含む極細不織布、（７）メルトブロー法により形成した、繊維径が１０μｍ以下の極細繊維を含む極細不織布、（８）厚さ（１ｃｍ２あたり１０ｇ荷重時）が１ｍｍ以上の嵩高不織布（ニードルパンチ不織布、熱融着不織布、繊度６．６ｄｔｅｘ以上のメルトブロー不織布など）、（９）発泡体、などを挙げることができ、これらの材料を１種類以上組み合わせることができる。
【００２０】
本発明のフロアマットは、フロアマットの周縁部Ｅにおけるパイルの根元が、カーペットを構成する一次基布又は糸以外の手段によって、裏打ち層方向に固定されている。カーペットを構成する一次基布又は糸は、パイルを直角方向へ突出させることができるものの、パイルをフロアマットの周縁Ｅａの方向へ偏向させる作用がないため、カーペットを構成する一次基布又は糸以外の手段によって、パイルの根元を裏打ち層方向に固定している。図１においては、カーペット層Ｃ、第１裏打ち層Ｋ１及び第２裏打ち層Ｋ２の周縁部Ｅを覆うようにテープ１を配置し、このテープ１と、フロアマットＭの周縁部ＥにおけるパイルＰｅの根元を、第１裏打ち層Ｋ１及び第２裏打ち層Ｋ２方向へ縫合した縫合糸１ａによって固定している。このようなテープ１及び縫合糸１ａを利用した、いわゆるテーピング加工によると、フロアマットＭの周縁Ｅａが揃っているため、フロアマットの周囲環境と密着し、フロアマットＭの性能を発揮しやすい。また、単に縫うだけで固定しており、熱がかからないため、パイルＰが潰れるなど、損傷しておらず、意匠性に優れるフロアマットＭであることができる。図１とは異なり、オーバーロック加工によりフロアマットの周縁部におけるパイルの根元を、裏打ち層方向へ縫合固定した場合も、テーピング加工と同様に、フロアマットの周縁が揃っており、フロアマットの周囲環境と密着して、フロアマットの性能を発揮しやすく、熱がかからず、パイルを損傷しないため、意匠性に優れるフロアマットであることができる。なお、熱の影響を許容できるのであれば、パイルの根元を熱融着させ、裏打ち層方向に融着固定することもできる。
【００２１】
なお、フロアマットＭの周縁ＥａからパイルＰｅの根元を固定している所までの距離（図１におけるｄ）も特に限定するものではないが、パイルＰｅがフロアマットＭの周縁部Ｅを覆い隠して、周縁部Ｅが目立たないように、１０ｍｍ以下であるのが好ましい。一方で、パイルＰｅの脱落を防止できるように、３ｍｍ以上であるのが好ましい。また、フロアマットＭの周縁ＥａからパイルＰｅの根元を固定している所までの距離（ｄ）よりもパイルＰの毛足長さ（Ｌ）の方が長い（Ｌ／ｄ＞１）と、パイルＰｅが倒れることによって、確実にフロアマットＭの周縁部Ｅを覆い隠すことができるため、好ましい態様であり、より好ましくはＬ／ｄ≧１．５であり、更に好ましくはＬ／ｄ≧１．８である。
【００２２】
なお、「フロアマットの周縁部におけるパイル」は図１においては、フロアマットＭの周縁Ｅａから１列目のパイルＰｅであるが、根元が固定されたパイルによって、フロママット周縁部が目立たないように覆い隠すことができる限り、フロアマットの周縁Ｅから２列目以降のパイルであっても良い。また、「根元」とは、パイルが固定されていることによってフロアマット周縁部が目立たないように覆い隠すことができる位置をいい、パイルの毛足の長さにもよるため、限定することはできないが、一般的には、パイルの一次基布表面側又は糸表面側の端部から、パイルの突出方向へ３ｍｍ程度の所までの範囲である。更に、「裏打ち層方向」とは、固定力のベクトルが裏打ち層表面と交差する方向であり、図１のように、固定力のベクトルと第１裏打ち層Ｋ１表面とが直交する方向であると、パイルＰｅをフロアマットＭの周縁Ｅａの方向へ倒しやすく、固定工程上も好適である。
【００２３】
本発明のフロアマットは、上述の説明部分以外の部分については従来のフロアマットと同様であることができる。例えば、裏打ち層の裏面側に多数の突起を設けたり、粘着剤を塗布したり、或いはウレタンフォームなどを積層し、滑りを防止したり、面ファスナーやホックを装着させ、フロアマット同士を連結できるようにしても良い。
【００２４】
図１に示すようなフロアマットＭは、例えば、次のようにして製造することができる。まず、所望形状のカーペット、所望形状の第１裏打ち材、所望形状の第２裏打ち材、テープ及び縫合糸を用意する。次いで、第２裏打ち材、第１裏打ち材及びカーペットを順に積層した後、第２裏打ち材の周縁部Ｅからカーペットの周縁部ＥにおけるパイルＰｅの根元にかけてテープを宛がいながら、ミシンを利用して縫合糸により、テープ及びカーペットの周縁部ＥにおけるパイルＰｅの根元を裏打ち層Ｋ１、Ｋ２方向に縫合して製造することができる。なお、ミシンとして、カーペットの一次基布Ｂ又は糸とパイルＰｅとを押し分けるジグ等を備えたものを使用したり、ミシンとは別に、カーペットの一次基布Ｂ又は糸とパイルＰｅとを押し分ける手段を講じて、確実にパイルＰｅの根元を固定するのが好ましい。また、第２裏打ち材、第１裏打ち材及びカーペットを単に積層するだけではなく、これら材料の間にホットメルトシート、ホットメルト樹脂、或いは接着剤を介在させ、これらの作用により、これら材料間のずれをなくし、フロアマットＭの形態安定性を高めることが望ましい。
【００２５】
本発明のフロアマットＭはパイルＰｅが脱落せず、使用時における周囲の環境と調和し、高級感を醸し出すことができるなど、意匠性に優れるものであるため、自動車用、住居用、或いはオフィス用のフロアマットとして好適に使用でき、特に、自動車用として使用すると、フロアマット以外の内装材と調和し、高級感溢れる車室内とすることのできる、品位の高いものである。
【実施例】
【００２６】
以下に、本発明の実施例を記載するが、本発明は以下の実施例に限定されるものではない。
【００２７】
（実施例１）
Ｙ字型異型断面をもつナイロン繊維からなるパイル層（目付：１８００ｇ／ｍ２、撚り数：１６０Ｔ／ｍ、毛足長さ：１４ｍｍ）と、前記パイル層を支持するポリエステル繊維製スパンボンド不織布（目付：１２０ｇ／ｍ２、一次基布）とからなり、一次基布の裏面にスチレン−ブタジエンゴムを主成分とするラテックスを塗布（乾燥質量：２４０ｇ／ｍ２）したタフテッドカーペットを用意した。
【００２８】
また、ポリエステル製ニードルパンチ不織布（目付：４００ｇ／ｍ２、厚さ：３ｍｍ）に、発泡ウレタン（目付：１００ｇ／ｍ２、厚さ：２ｍｍ）をフレームラミネートした裏打ち材料を用意した。
【００２９】
次いで、スチレン−ブタジエンゴムラテックスと天然ゴムラテックスとを３０：７０の質量比率で混合し、機械発泡により泡立てた混合ゴムラテックスを、目付が３００ｇ／ｍ２となるように、前記タフテッドカーペットの裏面（ラテックス塗布面）に塗布し、この混合ゴムラテックスが乾燥する前に、前記裏打ち材料のポリエステル製ニードルパンチ不織布が混合ゴムラテックスと当接するように重ね合わせた後、ドライヤーへ投入し、タフテッドカーペットと裏打ち材料とを一体化して、複合体を製造した。
【００３０】
次いで、前記複合体を自動車用フロアマット形状に裁断し、フロアマット前駆体を形成した後、ジグによりパイル糸と一次基布とを押し分けながら、発泡ウレタンの周縁部からタフテッドカーペットの周縁部におけるパイルの根元にかけてテープを宛がいながら、ミシンを利用して縫合糸により、テープ及びパイルの根元をポリエステル製ニードルパンチ不織布と直交する方向に縫合して、フロアマットを製造した。なお、フロアマットの周縁からパイルの根元を固定している所までの距離（ｄ）は６ｍｍで、Ｌ／ｄは２．３であった。このフロアマットを自動車室内に敷いたところ、フロアマットの周縁部におけるテープはパイルによって覆い隠されているため確認することができず、自動車室内と調和して、高級感を醸し出すことのできる、意匠性に優れるものであった。また、フロアマット取り扱い時にパイルの脱落も生じなかった。
【００３１】
（実施例２）
Ｙ字型異型断面をもつナイロン中空繊維からなるパイル層（目付：１８００ｇ／ｍ２、撚り数：１６０Ｔ／ｍ、毛足長さ：１４ｍｍ）と、前記パイル層を支持するポリエステル繊維製スパンボンド不織布（目付：１２０ｇ／ｍ２、一次基布）とからなり、一次基布の裏面にスチレン−ブタジエンゴムを主成分とするラテックスを塗布（乾燥質量：２４０ｇ／ｍ２）したタフテッドカーペットを使用したこと以外は、実施例１と全く同様にして、フロアマットを製造した。なお、フロアマットの周縁からパイルの根元を固定している所までの距離（ｄ）は６ｍｍで、Ｌ／ｄは２．３であった。このフロアマットを自動車室内に敷いたところ、フロアマットの周縁部におけるテープはパイルによって覆い隠されているため確認することができず、自動車室内と調和して、高級感を醸し出すことのできる、意匠性に優れるものであった。また、フロアマット取り扱い時にパイルの脱落も生じなかった。
【００３２】
（比較例１）
実施例１と全く同様にしてフロアマット前駆体を形成した後、フロアマット前駆体の周縁部におけるパイルを巻き込みながらオーバーロック加工（縫い幅：９ｍｍ）を行い、フロアマットを製造した。このフロアマットを自動車室内に敷いたところ、フロアマットの周縁部におけるオーバーロック糸が目立ってしまい、自動車室内と調和することができないものであった。
【００３３】
（比較例２）
実施例１と全く同様にしてフロアマット前駆体を形成した後、フロアマット前駆体の周縁部におけるパイルを巻き込みながらテーピング加工（テープ幅：１３ｍｍ）を行い、フロアマットを製造した。このフロアマットを自動車室内に敷いたところ、フロアマットの周縁部におけるテープが目立ってしまい、自動車室内と調和することができないものであった。
【図面の簡単な説明】
【００３４】
【図１】本発明のフロアマット周縁部における厚さ方向一部拡大断面図
【図２】従来のフロアマット周縁部における厚さ方向一部拡大断面図
【図３】従来の別のフロアマット周縁部における厚さ方向一部拡大断面図
【図４】従来の更に別のフロアマット周縁部における厚さ方向一部拡大断面図
【符号の説明】
【００３５】
Ｍ  フロアマット
Ｐ  パイル
Ｐｅ  フロアマット周縁部におけるパイル
Ｂ  一次基布
Ｃ  カーペット層
Ｌ  パイルの毛足長さ
Ｋ  裏打ち層
Ｋ１  第１裏打ち層
Ｋ２  第２裏打ち層
Ｅ  周縁部
Ｅａ  周縁
ｄ  フロアマットの周縁からパイルの根元を固定している所までの距離
１  テープ
１ａ  縫合糸
２  オーバーロック糸
【図１】
0004614665.tif 000002
【図２】
0004614665.tif 000003
【図３】
0004614665.tif 000004
【図４】
0004614665.tif 000005